(57)【特許請求の範囲】
【請求項１】
半透過型液晶表示装置用の光学λ／４層を形成する方法であって、
基板上に反応性液晶材料層を被着する工程と、
前記半透過型液晶表示装置の透過部に対応する部分を覆い、反射部に対応する部分を露呈するマスクを当てはめる工程と、
前記反応性液晶材料層を第１の温度に保ちながら、前記反応性液晶材料層の第１の光重合露光を実行する工程と、
前記反応性液晶材料層を第２の温度に保ちながら、前記反応性液晶材料層の第２の光重合露光を実行する工程と、を有し、
前記第１及び第２の温度が、それぞれ前記反応性液晶材料層がネマティック液晶相にあるときの温度及び前記反応性液晶材料層のクリアリングポイントより高い温度であり、
前記第１の光重合露光が前記マスクを通して行われ、
前記第２の光重合露光が前記マスクを通さずに行われる半透過型液晶表示装置用の光学λ／４層を形成する方法。
【発明の詳細な説明】
【技術分野】
【０００１】
本発明は、半透過型液晶表示装置用の光学λ／４（１／４波長）層を形成する方法に関する。
【背景技術】
【０００２】
その低消費電力、信頼性、及び低価格のために、液晶ディスプレイ、即ち、ＬＣＤは、ＰＤＡ、ラップトップ及び携帯電話のようなモバイルアプリケーション用の標準ディスプレイに選択されるようになっている。しかし、今日に一般に使われるＬＣＤは、一般に、低輝度、飽和していない色（ｕｎｓａｔｕｒａｔｅｄ  ｃｏｌｏｒ）、狭い視野角及び／又は低コントラストを示すという欠点を有する。従って、アクティブマトリックスの反射型ＬＣＤ及び透過型ＬＣＤのような改良された装置が、モバイルアプリケーションの市場を急速に引き継いでいる。反射型ＬＣＤは、直射日光の中のアウトドアでの使用に適している。コントラスト比は、透過型ディスプレイと比較して相対的に低く、劣悪な照明条件下では、この種類のディスプレイの輝度は低い。一方、透過型ＬＣＤは良好なコントラスト比を有するが、直射日光の照射条件では実際は読みにくくなる。さらに、透過型ディスプレイはバックライトを利用し、消費電力の増加をもたらす。
【０００３】
従って、あらゆる照明条件下で、良好な表示特性を有するディスプレイが必要である。１つの解決策は、いわゆる半透過型ＬＣＤを使うことであり、これは、同時に透過モードと反射モードとの両方で使用することができる。そのため、バックライトの強度は、照明条件を適合させる目的で、フォトダイオード等を用いて、手動又は自動で調整することができる。
【発明の概要】
【発明が解決しようとする課題】
【０００４】
本発明の目的は、高効率及び改良された視野角依存性を有する半透過型ディスプレイを提供することにある。本発明の他の目的は、ディスプレイの明状態に対して高透過率を有する半透過型ディスプレイを提供することにある。
【課題を解決するための手段】
【０００５】
これら及び他の目的は、光学λ／４層が少なくとも部分的に上記前面偏光子と上記液晶層との間に配され、上記液晶層が８０°乃至１００°の範囲内（例えば９０°）で本質的にツイスト角を有する液晶層であることを特徴とする導入部による液晶表示装置によって達成される。この装置によれば、高コントラスト比の反射モードを有する半透過型ディスプレイを達成することができる。この構成は、より小さいツイスト角を伴う従来の反射型ＬＣＤよりも急峻な反射率／透過率−電圧曲線を有し、その結果カラムドライバ上の電圧スイングが減少する装置をもたらし、これによって、本発明のディスプレイの消費電力が減少する。更に、透過モードにおいて、セルギャップのばらつきの影響を受けにくい。好ましくは、光学λ／４層が広帯域λ／４層であり、向上したコントラスト比及び増大した輝度を有し全体的に良好な暗状態を伴うディスプレイが提供される。
【０００６】
本発明の第１実施例によれば、上記画素の各々が反射サブ画素と透過サブ画素に副分割され、上記光学λ／４層が本質的に上記反射サブ画素のみを覆い、これによってパターン化λ／４ホイルを構成している。このディスプレイは、相対的に高い透過率を有する。好ましくは、透過サブ画素のセルギャップは、反射サブ画素の対応するセルギャップより本質的に大きい。透過サブ画素のセルギャップは、反射サブ画素のセルギャップよりも例えば１．５倍−２．５倍大きくすることができる。これによって、透過サブ画素の大きなセルギャップが、偏光した光をより小さい楕円を有する出射偏光状態にし、これによって透過率が増加するので、ディスプレイのバックライト効率を更に向上させることができる。
【０００７】
本発明の第２実施例によれば、背面電極手段は、画素領域全体を本質的に覆い、標準的成分を加えることによって簡単に実現できる半透過反射電極である。
【０００８】
上記の目的は、上記のディスプレイ用のパターン化λ／４ホイルを生成する３つの異なる方法によっても部分的に達成される。
【０００９】
第１の実施例では、この方法は、基板上に反応性液晶層を被着する工程と、上記ディスプレイの透過部に対応する部分を覆い反射部に対応する部分を露呈するマスクを当てはめる工程と、上記マスクを通じて上記反応性液晶材料層を光重合する工程と、反応していない液晶材料を除去する工程とを有する。この方法は、この処理が単一の温度で行うことができるという利点を有し、これによって、処理時間と装置への投資との両方が削減される。
【００１０】
第２の実施例では、この方法は、基板上に反応性液晶層を被着するステップと、ディスプレイの透過部に対応する部分を覆い、一方、反射部に対応する部分を露呈するマスクを当てはめるステップと、上記反応性液晶層を第１の温度に保ちながら、上記反応性液晶層の第１の光重合露光を実行するステップと、上記反応性液晶層を第２の温度に保ちながら、上記反応性液晶層の第２の光重合露光を実行するステップとを有し、上記第１及び第２の光重合露光のうちの一つが上記反応性液晶層上に当てはめられたマスクを通して行われる。この方法は、第１の実施例に記載されている光重合プロセスでは反応しない透過サブ画素上のＬＣ材料を除去する必要がないという利点を有する。好ましくは、上記第１及び第２の温度が、上記反応性液晶層が上記第１の温度及び上記液晶材料のクリアリングポイントより上の第２の温度においてネマティック液晶相であるように選択される。
【００１１】
第３実施例では、この方法は、基板上に反応性液晶層を被着するステップと、所望のパターン化λ／４ホイルに対応するパターン化配向層を備えるステップと、を有する。透過サブ画素上のλ／４ホイルの配向は、前面偏光子の透過軸又は吸収軸と適宜に平行である。好ましくは、上記パターン化配向層は光配向によって生成される。この方法は、光重合自体がどちらかといえば簡単で且つ十分テスト済みの方法であるという点で有利である。
【図面の簡単な説明】
【００１２】
【図１】サブ画素化透過ディスプレイの一画素の概略断面図である。
【図２】半透過ミラーの透過ディスプレイの一画素の概略断面図である。
【図３】ディスプレイの視野側でのディレクタ、液晶セルの背面側でのディレクタ、１／４波長ホイルの光軸、及びディスプレイ上の光入射の偏光の相対的な向きを示す図である。
【図４】本発明による半透過ディスプレイに対して、反射率及び透過率対電圧の理論計算を示している図である。
【図５】本発明による半透過ディスプレイの反射部の、ｍ＝０に対するコントラスト比の角度依存性を示す図である。
【図６】本発明による半透過ディスプレイの反射部の、ｍ＝１に対するコントラスト比の角度依存性を示す図である。
【図７】本発明による半透過ディスプレイの透過部の、１／４波長ホイルによる解決策を備えていない場合のコントラスト比の角度依存性を示す図である。
【図８】本発明による半透過ディスプレイの透過部の、二重１／４波長ホイルによる解決策に対するコントラスト比の角度依存性を示す図である。
【発明を実施するための形態】
【００１３】
次に、本発明を実施するための形態を図面と共に説明する。
【００１４】
図１及び図２には、本発明の第１及び第２の実施例による半透過型液晶表示装置が示されている。半透過型表示装置は、反射モード及び／又は透過モードで駆動されることができるディスプレイである。図１又は図２によるディスプレイ１１、２１は、透明前面電極１３、２３と背面電極１４、２４との間に挟まれた液晶層１２、２２（本実施形態ではツイステッドネマチック液晶層）を有する。さらに、液晶材料層１２、２２のツイスト角及びプレチルト角並びに平衡配向を誘導するために、それ自体は既知のやり方で、配向層（図示せず）が上記電極１３，２３；１４，２４に配される。ディスプレイ１１、２１は複数の画素に副分割され、図１及び図２は斯かる１つの画素を概略的に示す。
【００１５】
第１実施例では、図１に示すように、各画素は、第１及び第２のサブ画素１１ａ、１１ｂに副分割され（同じ面積を有する必要は無い）、第１のサブ画素１１ａを透過サブ画素と呼び、一方、第２のサブ画素１１ｂを反射サブ画素と呼ぶ。各第１のサブ画素１１ａは、例えばＩＴＯから製造される透明の第１の背面電極部１４ａを含み、各第２のサブ画素は反射部を兼ねる、アルミニウムホイル等のような第２の背面電極部１４ｂを有する。従って、第１のサブ画素１１ａは透過画素部を規定し、第２のサブ画素１１ｂは反射画素部を規定する。液晶層１２及び電極１３、１４は、全体として液晶セル１５を構成する。
【００１６】
更に、液晶セルは、前面光学ホイル１６ａと任意の背面光学ホイル１６ｂとの間に挟まれる。前面光学ホイル１６ａは１／４波長ホイルであり、これは反射サブ画素にとって本質的なものである。背面光学ホイルは、ディスプレイの暗状態において、透過サブ画素に対して前面光学ホイル１６ｂの機能を除去する。好適実施例（図示せず）によれば、前面光学ホイル１６ａは広帯域１／４波長ホイルであり、本質的に１／４波長及び半波長のリターダを有し、これによって、向上したコントラスト比及び増大した輝度を有し全体的に良好な暗状態を伴うディスプレイが提供される。さらに、図１に示すように、装置を見る人の側に前面偏光子１７ａが配され、背面側に背面偏光子１７ｂ及びバックライトパネル１８が配される。
【００１７】
本発明による表示装置の第２の実施例は図２に示される。この場合、各画素は、透明前面電極２３と半透明反射背面電極２４との間に挟まれた液晶層２２を有する。例えば、半透明反射背面電極２４は金属反射部を含んでいてもよく、これは、入射光の或る程度の部分が透過するのに十分薄い。協働して、液晶層及び電極は液晶セル２５を構成する。セルは、本発明による前面光学ホイル２６ａと背面光学ホイル２６ｂとの間に挟まれる。以下、この構成は偏光子（即ち、前面偏光子２７ａ及び背面偏光子２７ｂ）の間に配され、この表示装置の背面側にバックライトパネル２８が配される。
【００１８】
上記のように、前面光学ホイル及び背面光学ホイル１６ａ，２６ａ；１６ｂ，２６ｂは液晶セル１５，２５の反対側に配される。表示装置の高いコントラスト比の反射モードを達成するために、このディスプレイの暗状態の透過率及び反射率は、光の波長に独立又はほぼ独立していなければならない。ディスプレイの反射率はパラメータＰ、即ち、
Ｐ＝ｄΔｎ／λ  （１）
によって決定される。ここで、ｄは液晶層及びあらゆるホイルの全厚、Δｎは液晶材料の屈折率異方性、λは入射光の波長である。電圧を電極に与えることによってセルに印加される電界に液晶層１２、２２のディレクタが平行なときに構成の暗状態が発生する場合、セルの波長依存性が低下することが知られている。従って、高電界で暗状態を有する光学モードは、反射／電圧曲線が或る電圧で最小値を通るような光学モードよりも良好なコントラスト比を与える。このような光学モードは、前面偏光子と液晶層との間に１／４波長ホイル又は場合に応じて広帯域１／４ホイルを配することによって得ることが可能である。
【００１９】
さらに、列ドライバ上の電圧スイングを小さするため（その結果として、ディスプレイの消費電力が減少する）、反射／電圧曲線は急勾配の必要がある。これは、液晶材料のツイスト角を増加することによって達成することができる。しかし、ツイスト角が大きいと、コントラストが高い状況下では、視野角の領域が狭い結果となる。さらに、透過ディスプレイのコントラスト比は偏光子が垂直に配されるとき最大である。従って、±９０°のツイスト角を有する光学モードが好ましい。図３には、ディスプレイの視野側でのディレクタ、セルの背面側でのディレクタ、１／４波長リターダホイルの光軸、及びディスプレイ上の入射光の偏光の相対的な向きを示す図が示されている。
【００２０】
π／２とπとの間の液晶ツイスト角において、視野側のディレクタΨに対して１／４波長ホイルの遅相軸の角γが以下の式で与えられるとき非駆動状態におけるディスプレイの最高輝度が得られることを示すことができる。
【００２１】
【数１】
0004526590.tif 000002
ここでｍは任意の整数である。
【００２２】
さらに、非アドレス指定状態におけるこの輝度は、ツイスト角φが以下の式で与えられるとき、最大である。
【００２３】
【数２】
0004526590.tif 000003
上のことからΨ＝０及びΨ＝±π／２に対してφ＝π／２であることが分かる。これらのモードは、ｄΔｎ／λ＝０．４４で最大反射を提供する。これによって、液晶層に対するセルギャップとツイスト角との或る組み合わせにより、明状態において高輝度のディスプレイを得ることができる。
【００２４】
透過モードに関して、基本的に、高電圧においてこのことを達成する２つの異なる方法がある。
【００２５】
先に述べたように、液晶層１２、２２の好適なツイスト角は±９０°である。（基本的に８０°乃至１００°の間の）ツイスト角の更なる微調整は、より大きな視野角におけるコントラスト比及び階調反転を改良することによって可能である。標準の９０°ツイステッドネマチック透過セル１５を達成する簡単な方法は、前面側の上記１／４波長ホイル１６ａを取り除き、背面側１７ｂに、前面偏光子に対して垂直の偏光子を加えることである。１／４波長ホイルのみが各画素の透過部において取り除かれ、反射部では変わらないままであるので、この実施例は、図１に示すように、パターン化１／４波長ホイルの使用が必要である。斯かるホイルを達成する方法が以下に記載されている。
【００２６】
９０°ツイステッドネマチック透過セルを達成する第２の可能性は、液晶セル２５のバックライト側に、液晶セルの前面側の１／４波長プレートの遅相軸に対して垂直な遅相軸を有する特別の１／４波長ホイル２６ｂを加えることである。セルは直交偏光子２７ａ，２７ｂにも挟まれる。この解決策は図２に示すような装置に対して有用であり、これは、画素をサブ分割せずに解決可能であるので、技術的見地から、実現するのがいくぶん容易である。
【００２７】
上記の２つの透過セルの間の比較が図４に示されている。この図では、両方の解決策に対して、シミュレーションした反射率及び透過率対印加電圧がプロットされている。計算は、図３に示すように、Ψ＝π／２、φ＝π／２及びβ＝０のツイステッドネマチックモードに対して行われている。照明は反射モードと透過モードとの両方に対して標準白色光であり、曲線は標準観測者用に補正されている。プロット値は式２のｍの値に依存していない。図４から明白であるように、上記のように第２の１／４波長ホイルを加える第２の解決策は、明状態において低い透過率を有する。これは、第１の解決策を利用しているディスプレイと同じ輝度を得るためにはバックライトの強度を増加する必要があることを意味する。従って、第１の解決策により、液晶ディスプレイの低消費電力が提供される。
【００２８】
更に、図５及び図６は、それぞれ、式２の中のｍ＝０及びｍ＝１に対する反射モードのコントラスト比の角度依存性を示す。図５からわかるように、中央面ディレクタに対して垂直である１／４波長ホイルの遅相軸を有するｍ＝１の視野角が僅かに良好なようである。
【００２９】
透過モードのコントラスト比の視野角依存性が図７及び図８に示される。上記の両方の解決策とも、コントラスト比はｍとは無関係である。図７及び図８からわかるように、視野角は、パターン化１／４波長ホイルを有する第１の解決策に対して非常に良好である（図７に示す）、即ち、透過光はその光路上の１／４波長ホイルを透過して観測者に到達しない。
【００３０】
結果として、上に示すように、パターン化１／４波長ホイルを得ることはいっそう難しいが、この解決策はサブ画素を有する透過ディスプレイに制限され、効率及び視野角依存性が大きく向上する。
【００３１】
パターン化１／４波長ホイルは反応性液晶材料の光重合によって製造することができる。これらの材料は薄いポリマー配向膜から配向を得ており、液晶層を配向させるために使用されるものと同様である。本発明によれば、プラナー配向及びｄΔｎ＝λ／４のリタデーションに対応する厚さを有する反応性液晶材料の膜から開始することが提案される。これによって、所望の位置において即ち反射サブ画素において１／４波長リターダの機能を有する反射液晶層がもたらされる。
【００３２】
本発明によれば、ディスプレイの透過部分、即ち透過サブ画素において、１／４波長リターダとして機能しないようにする目的で、上記の層を局所的に修正する３つの方法がある。
【００３３】
第１の方法を以下に記載する。反応性液晶材料層が基板上に配される。その後、１／４波長機能が望まれないディスプレイの部分、即ちディスプレイの透過部分においてｄ＝０を得るために、所望のパターンに対応するマスクが反応性ＬＣ層に当てはめられ、このマスクを介して光重合が行われ、その後、反応していない液晶材料が局所的に取り除かれる。
【００３４】
第２の方法を以下に記載する。反応性液晶層が基板上に配され、その後この層に２回の光重合露光が行われる。この露光のうちの１つは、上記の方法のようにマスクを介してなされる。さらに、１つの露光は、反応性液晶材料がネマティック液晶相にあるときの温度に液晶材料を保持しながら行われ、もう一方の露光は、液晶材料のクリアリングポイントより上の温度で行われる。このようにして、反応性液晶層は、複屈折率Δｎ≒０．１を有する領域及びΔｎ≒０の領域にパターン化される。
【００３５】
第３の方法を以下に記載する。ここで、液晶材料の配向は選択的に変えることができる。１／４波長ホイルを必要とするセルの部分は、リターダ及び偏光子の透過軸の間に４５°の角度においてプラナー配向が与えられる。１／４波長機能を得てはならない部分は、ホメオトロピック配向又は偏光子の透過軸若しくは吸収軸に平行のプラナー配向が与えられる。これは、例えば光配向により発生するパターン化配向層を用いることによって達成される。
【００３６】
上記の方法の変形例は、１／４波長ホイルの機能を有するべきではない画素の透過部のリタデーションフィルムの部分に幾つかの複屈折を与えることによってディスプレイを更に最適化する。これは、例えば、偏光子の主軸のうちの１つに正確に平行ではない層の部分に配向を規定することによって、又は液晶層の複屈折を局所的に小さな値（ゼロではない）に減少することによって達成することができる。
【００３７】
上記の構成及び方法を使用することによって、単一セルギャップ、即ち透過サブ画素及び反射サブ画素に対して等しいセルギャップ、及び単一配向層を有する半透過液晶ディスプレイを生産することができる。これによって、半透過型ディスプレイの製造が、現在使用されている種類のＬＣＤ技術と同等且つ適合する。例えば、この構成により、光配向の使用が不要になる。さらに、この発明のディスプレイの構成は、透過及び反射が光の波長に依存しないという事実によって、高いコントラスト比を有する。
【００３８】
パターン化λ／４ホイルを使用した解決策によって、２つの分離したλ／４ホイルを使用した代替解決策よりも、より高いバックライト効率及びより良好な視野角特性が提供される。図６に示すように、最良の性能はｍ＝１で与えられ、この解決策は、水平方向に大きな視野角を確保するためにパターン化ホイル及びβ＝π／４を伴う。
【００３９】
従って、９０°のツイスト角を有する単一ギャップの半透過型ディスプレイが提案される。ディスプレイは、反射型及び透過型のサブ画素を備えることができる。半透過型ディスプレイは同時に両方のモードで動作することができ、これによって、ディスプレイの利便性が大きく増加する。ディスプレイの視野側において偏光子と液晶層との間にλ／４ホイル又は場合によって広帯域λ／４を配することによって、９０°ツイステッドネマチック層を使用することができる。
【００４０】
上記のディスプレイの反射モードは前面偏光子のみで機能し反射背面電極をミラーとして使用することに注意されたい。他の従来の半透過型ディスプレイでは、反射体は液晶セルの外側に位置し、背面偏光子がディスプレイの透過モードと反射モードとの両方で使用される。
【図１】
0004526590.tif 000004
【図２】
0004526590.tif 000005
【図３】
0004526590.tif 000006
【図４】
0004526590.tif 000007
【図５】
0004526590.tif 000008
【図６】
0004526590.tif 000009
【図７】
0004526590.tif 000010
【図８】
0004526590.tif 000011